(57)【特許請求の範囲】
【請求項１】
軸筒のペン先側外面に弾性材料よりなる筒状のグリップを設け、前記軸筒のペン先側外面に前記グリップの外面を覆うようにキャップを着脱自在に設けた筆記具であって、前記グリップより前方の軸筒の外面にキャップの内面と乗り越え嵌合する凸部を設け、前記凸部の外径を前記グリップの前部の外径よりも大きく設定し、前記グリップが、前記凸部の外径より小さい外径の小径部と、該小径部の後方に位置し、該小径部の外径より大きく且つキャップの開口端の内径より僅かに小さい外径を有する大径部とを備えてなり、キャップを軸筒のペン先側外面に装着した際、前記大径部の外面がキャップの開口端内面によって包囲されてなることを特徴とする筆記具。
【請求項２】
前記グリップの小径部と前記大径部との間に、後方に向かって次第に大径となる外径を有するガイド部を設けた請求項１記載の筆記具。
【請求項３】
前記凸部が環状である請求項１記載の筆記具。
【発明の詳細な説明】
【０００１】
【発明の属する技術分野】
本発明は筆記具に関する。さらに詳細には、軸筒のペン先側外面に弾性材料よりなる筒状のグリップを設け、前記グリップの外面を覆うように軸筒のペン先側外面にキャップを装着可能に設けた筆記具に関する。尚、本発明において、「前」とは、軸筒のペン先側及びキャップの閉塞側を指し、「後」とは、軸筒の尾端側及びキャップの開口側を指す。
【０００２】
【従来の技術】
従来この種の筆記具において、キャップの着脱をスムーズにする目的で、例えば、特許第２９０６３９１号公報には、「軸筒の外側に、キャップとは異質の弾性材からなる筒体を装着してなる筆記具であって、キャップ部の内周面に筒方向に延びる複数の縦リブを設けたことを特徴とする筆記具用キャップ」が開示されている。
【０００３】
前記従来の構造は、弾性材からなる筒体（本発明のグリップに相当）とキャップとの接触力を軽減させることができるとしても、依然として、キャップ着脱の際に、筒体の前端部から後端部までの外面とキャップ内面（即ち縦リブ）とが接触する構造である。そのため、外面に弾性材からなる筒体を設けていないタイプの軸筒にキャップが着脱する場合と比較すると、キャップ着脱がスムーズではない。
【０００４】
【発明が解決しようとする課題】
本発明は前記従来の問題点を解決するものであって、軸筒外面に弾性材料よりなるグリップを設け、前記グリップの外面にキャップを着脱自在に構成したとしても、外面に弾性材料よりなるグリップが存在しない軸筒の場合と同様、十分にスムーズなキャップ着脱が可能となる筆記具を提供しようとするものである。
【０００５】
【課題を解決するための手段】
〔１〕本発明は、軸筒３のペン先側外面に弾性材料よりなる筒状のグリップ４を設け、前記軸筒３のペン先側外面に前記グリップ４の外面にキャップ６を着脱自在に設けた筆記具１であって、前記グリップ４より前方の軸筒３の外面にキャップ６の内面と乗り越え嵌合する凸部３１を設け、前記凸部３１の外径を前記グリップ４の前部の外径よりも大きく設定し、前記グリップ４が、前記凸部３１の外径より小さい外径の小径部４１と、該小径部４１の後方に位置し、該小径部４１の外径より大きく且つキャップ６の開口端の内径より僅かに小さい外径を有する大径部４２とを備えてなり、キャップ６を軸筒３のペン先側外面に装着した際、前記大径部４２の外面が、キャップ６の開口端内面によって包囲されてなること（請求項１）を要件とする。
【０００６】
（作用）
軸筒３の外面の凸部３１の外径がグリップ４の前部の外径より大きいことから、キャップ６の着脱の際（即ち、キャップ装着時またはキャップ取り外し時）、前記凸部３１が、キャップ６の内面と円滑に摺動する。それにより、グリップ４の前部外面とキャップ６の内面との接触が回避され、円滑なキャップ６の着脱が可能となる。
【０００７】
【０００８】
（作用）
前記請求項１の構成（前記グリップ４が、前記凸部３１の外径より小さい外径の小径部４１と、該小径部４１の後方に位置し、該小径部４１の外径より大きく且つキャップ６の開口端の内径より僅かに小さい外径を有する大径部４２とを備えてなり、キャップ６を軸筒３のペン先側外面に装着した際、前記大径部４２の外面が、キャップ６の開口端内面によって包囲されてなること）により、キャップ６の着脱の際、凸部３１が、キャップ６内面と円滑に摺動し、グリップ４の小径部４１の外面とキャップ６の内面との接触が回避され、円滑なキャップの着脱が可能となり、さらに、キャップ装着完了状態で、大径部４２の外面がキャップ６の開口端内面によって包囲されることから、キャップ６の径方向のぐらつきが十分に抑止される。その上、前記グリップ４の大径部４２が、キャップ６の開口端の内径より僅かに小さい内径を有するため、キャップ６の開口端内面と大径部４２の外面とが圧入嵌合状態になることが回避され、より一層、スムーズなキャップ着脱が可能となる。
【０００９】
〔２〕前記請求項１の筆記具１において、前記小径部４１と前記大径部４２との間に、後方に向かって次第に大径となる外径を有するガイド部４３を設けたこと（請求項２）が好ましい。
【００１０】
（作用）
キャップ６がグリップ４に対して傾いた状態または相互の軸心がずれた状態で、キャップ装着が成されたとしても、そのキャップ装着過程で、キャップ６の開口端とガイド部４３とが摺動し、キャップ６の開口端内面が大径部４２外面へ円滑に案内される。それにより、キャップ装着を、より一層、スムーズにすることができる。
【００１１】
〔３〕前記請求項１の筆記具１において、前記軸筒３の外面に設けた乗り越え嵌合用の凸部３１は、適宜間隔をおいて周状に分散配置される複数の分散状突起であってもよいが、キャップ６の内面との摺動が、より一層、円滑になる点、及び製造が容易である点で、環状であること（請求項３）が好ましい。
【００１２】
【発明の実施の形態】
本発明の実施の形態について図面に従って説明する。
【００１３】
（第１実施例）
図１及び図２に第１実施例を示す。筆記具１は、筆記具本体２と、筆記具本体２のペン先７１側に着脱自在なキャップ６とからなる。また、前記筆記具本体２は、合成樹脂製の軸筒３と、該軸筒３の前端に着脱自在に螺着される金属製の先体５と、該軸筒３内部に交換可能に収容されるレフィル７（ここではボールペンレフィル）とからなる。また、前記キャップ６は、合成樹脂の射出成形よりなる有底円筒体であり、その中間部内周面に環状突起６２と複数の分散状突起６１とを一体に形成し、その内部の底部に弾性材料よりなるペン先シール部材６３を収容し、その外面に挟持部６４（いわゆるクリップ）を一体に形成している。
【００１４】
前記レフィル７は、主に、ペン先７１（ここではボールペンペン先）と、ペン先ホルダー７２と、インキ収容筒７３とからなり、前記ペン先７１を前端に圧入固着した合成樹脂製のペン先ホルダー７２が、前記インキ収容筒７３の前端に圧入固着されてなる構成である。前記ペン先ホルダー７２の中間部外周面には、インキ収容筒７３の前端縁と当接し、インキ収容筒７３の前端の外径より大きい外径を有する鍔部７２ａが形成される。また、前記インキ収容筒７３の内部には、インキが収容されると共に、該インキの後端には、インキ消費に伴って前進するグリース状の追従体が充填される。また、前記ボールペンペン先は、金属製パイプを外方から押圧変形し複数の内方突起を形成し、該内方突起をボール受座としたパイプ方式であるが、この他にも、ボール受座を金属製本体の切削加工によって形成するタイプであってもよい。
【００１５】
前記レフィル７は、軸筒３の前端開口部より軸筒３の内部に挿入され、その後、先体５が軸筒３の前端に螺合される。このとき、前記ペン先ホルダー７２の鍔部７２ａが、軸筒３の前端縁と先体５の内面とにより前後方向に挟持固定される。
【００１６】
前記軸筒３は、合成樹脂の射出成形により得られる円筒体であり、その前部外周面には、環状凸部３１と、該環状凸部３１の前方に位置する環状平滑面３２とが一体に形成される。さらに、前記環状凸部３１の後方の軸筒３の外面には、環状凹部３３が軸方向に延設され、そこに、弾性材料よりなる筒状のグリップ４が設けられる。
【００１７】
前記グリップ４は、２色成形等による軸筒３との一体成形によって設けられたり、または軸筒３外面に取り付けられる別部材によって設けられる。前記グリップ４の弾性材料としては、例えば、ゴムや熱可塑性エラストマー等が挙げられる。
【００１８】
また、前記グリップ４は、前部の小径部４１と、後部の大径部４２と、前記小径部４１と前記大径部４２とを接続する傾斜面状のガイド部４３とからなる。前記グリップ４の小径部４１の外径は、前記環状凸部３１の外径より小さく、また、前記大径部４２の外径は、前記小径部４１の外径より大きく且つキャップ６の開口端の内径より僅かに小さく設定される。また、前記小径部４１の外面には、複数本の環状溝が設けられ、グリップ４を把持した際の滑り止め効果を向上させている。尚、前記ガイド部４３の形状は、後方に向かうに従って大径となる形状であれば、傾斜面状の他にも、凸曲面状、凹曲面状等であってもよい。
【００１９】
前記キャップ６を前記筆記具本体２のペン先側外面に装着した際、軸筒３の外面の環状凸部３１とキャップ６の内面の分散状突起６１とが乗り越え嵌合すると同時に、軸筒３の外面の環状平滑面３２とキャップ６内面の環状突起６２とが圧入嵌合する。キャップ６の開口端の内径は、グリップ４の大径部４２の外径より僅かに大きいため、前記大径部４２はキャップ６開口端に圧入嵌合されることが回避され、円滑なキャップ６の着脱が可能となると共に、キャップ装着状態でキャップ６の開口端内面により大径部４２の外面が包囲されるため、キャップ６の径方向のぐらつきを防止できる。また、キャップ６装着過程で、前記ガイド部４３がキャップ６開口端と摺接することにより、キャップ６の開口端を円滑に大径部４２へ案内することができる。尚、本実施例では、前記グリップ４の大径部４２は、キャップを装着した際にキャップ６の開口端より露出するよう、後方に延長されている。
【００２０】
前記凸部３１を有する軸筒３を構成する合成樹脂材料は、少なくとも、グリップ４の弾性材料に比べて硬質な材料であって、例えば、ポリプロピレン、ポリエチレン、ポリカーボネート、ポリエチレンテレフタレート、ポリアセタール、アクリル、ナイロン、アクリルニトリル・スチレン共重合樹脂（ＡＳ樹脂）、アクリルニトリル・ブタジエン・スチレン共重合樹脂（ＡＢＳ樹脂）等が挙げられる。
【００２１】
（第２実施例）
図３に第２実施例を示す。これは、第１実施例のグリップ４の変形例であって、第１実施例と異なる点は、小径部４１の外面が環状溝等の存在しない環状平滑面よりなる点、ガイド部４３の傾斜角度が第１実施例より大きく且つガイド部４３の軸方向寸法が第１実施例より短い点、及び、大径部４２の軸方向寸法が第１実施例より短く且つキャップ装着状態で大径部４２全体がキャップ６の開口端に完全に包囲される点である。尚、作用効果及び他の構成は第１実施例と同様であるため説明は省略する。
【００２２】
【発明の効果】
請求項１により、キャップ着脱の際、凸部が、キャップ内面と円滑に摺動するため、グリップの前部外面とキャップ内面との接触が回避され、円滑なキャップの着脱が可能となる。
【００２３】
請求項１により、円滑なキャップ着脱が可能となるとともに、キャップ装着完了状態で、キャップの径方向のぐらつきが十分に抑止され、さらに、キャップの開口端内面と大径部の外面とが圧入嵌合状態になることが回避されるため、より一層、スムーズなキャップ着脱が可能となる。
【００２４】
請求項３により、キャップ装着を、より一層、スムーズにできる。
【００２５】
請求項４により、より一層、キャップ内面とのスムーズな摺動が得られると共に、凸部を備えた軸筒の製造が容易となる。
【図面の簡単な説明】
【図１】本発明の第１実施例の要部縦断面図である。
【図２】図１の筆記具本体を示す要部外観図である。二点鎖線は装着したキャップの外形を示す。
【図３】本発明の第２実施例における筆記具本体を示す要部外観図である。二点鎖線は装着したキャップの外形を示す。
【符号の説明】
１ 筆記具
２ 筆記具本体
３ 軸筒
３１ 凸部（環状凸部）
３２ 環状平滑面
３３ 環状凹部
４ グリップ
４１ 小径部
４２ 大径部
４３ ガイド部
５ 先体
６ キャップ
６１ 分散状突起
６２ 環状突起
６３ ペン先シール部材
６４ 挟持部
７ レフィル
７１ ペン先
７２ ペン先ホルダー
７２ａ 鍔部
７３ インキ収容筒
【図１】
0004750247.tif 000002
【図２】
0004750247.tif 000003
【図３】
0004750247.tif 000004